(57)【要約】【課題】通気層を備える壁へ後付けされた貫通スリーブと透湿防水シートの孔との隙間を簡易に塞ぐことのできるシール部材を提供する。【解決手段】通気層を備える壁へ後付けされた貫通スリーブと通気層に面する透湿防水シートとの間をシールするシール部材であって、  貫通スリーブに外挿されるスリーブ外挿部と、該スリーブ外挿部の外周からその半径方向外方へ立設され、可撓性のある材料で形成されたフランジ部とを備え、  フランジ部の半径方向に渡って形成されたスリットであって、該スリットはスリーブ外挿部に連通しており、該スリットの両縁を重ね合わせることで、フランジ部を縮径可能なスリットと、を備えているシール部材。【選択図】図１
2020007724.tif 000002
【特許請求の範囲】
【請求項１】
通気層を備える壁へ後付けされる貫通スリーブと前記通気層に面する透湿防水シートとの間をシールするシール部材であって、
前記貫通スリーブに外挿されるスリーブ外挿部と、該スリーブ外挿部の外周からその外方へ立設されるフランジ部とを備え、
前記フランジ部の半径方向に渡って形成されたスリットであって、該スリットは前記スリーブ外挿部に連通しており、該スリットの両縁を重ね合わせることで、前記フランジ部を縮径可能なスリットと、
を備えるシール部材。
【請求項２】
。
該フランジ部には前記透湿防水シートに対向する面に接着層が形成され、該接着層は除去可能な保護フィルムで被覆されている、請求項１に記載のシール部材。
【請求項３】
前記保護フィルムの表面に取り付けられる固定部と、該固定部に連結して前記スリーブ外挿部に沿って配設されるピックアップ部とを備える保護フィルム除去具が更に備えられ、
前記ピックアップ部を前記スリーブ外挿部に沿って引き抜くことで前記固定部が移動し、該固定部の移動に伴い前記保護フィルムが前記接着層から剥離される、請求項２に記載のシール部材。
【請求項４】
前記スリットは前記スリーブ外挿部の軸方向に渡って形成されている、請求項１〜３のいずれか記載のシール部材。
【請求項５】
前記スリットは前記スリーブ外挿部の軸と平行に形成され、前記フランジ部において前記スリーブ外挿部の軸から半径方向に形成されている、請求項４に記載のシール部材。
【請求項６】
第２の接着層が前記フランジ部の他面に形成され、該第２の接着層は除去可能な第２の保護フィルムで被覆されている請求項２に記載のシール部材。
【請求項７】
通気層を備える壁へ後付けされた貫通スリーブと前記通気層に面する透湿防水シートとの間をシールするシール方法であって、
前記貫通スリーブに対して請求項１〜６の何れかに記載のシール部材のスリーブ外挿部を、前記フランジ部を前記壁側にして、外挿するステップと、
前記スリットの両縁を交差する方向に移動させて、前記フランジ部を縮径し、これを前記壁と前記貫通スリーブとの隙間へ挿入するステップと、
前記フランジ部においてスリットの両縁の位置をもとに戻して前記透湿防水シートに接触させるステップと、
を含むシール方法。
【請求項８】
前記フランジ部を前記透湿防水シートに接着するステップが更に含まれる請求項８に記載のシール方法。
【発明の詳細な説明】
【技術分野】
【０００１】
本発明は、通気層を備える壁へ後付けされる貫通スリーブと通気層に面する透湿防水シートとの間をシールするシール部材及びこのシール部材を用いるシール方法に関する。
【背景技術】
【０００２】
住宅の耐久性を目的に、壁体内の湿気等の水分を排出させる通気工法が一般化している。この通気工法は、壁の内に通気層を設けこの通気層へ通風をして壁体内の湿気等の水分を外部へ排出させる。
一般的に通気層は壁体内において外壁側に設けられる。即ち、外壁の内面と壁体内に設けられる断熱材その他の構造体層の外側面との間に空隙を形成し、これを通気層とする。壁体内の構造体層の外側面には透湿防水シートが積層される。この透湿防水シートは、外側から通気層内へ漏れ入るおそれのある雨水が構造体層内へ入り込むことを防止しつつ、室内から構造体層内へ入り込んだ水蒸気を通気層側へ排出し、壁体内での結露を防止する。
【０００３】
このような通気層を備えた壁に対し、後付けでエアコン等を取付けるとき、室外機と室内機とを繋ぐため、貫通孔が設けられ、この貫通孔へ貫通スリーブが通される。貫通孔と貫通スリーブとの隙間を塞ぐため、一般的にはパテやシーリング材が用いられる。ここに、外壁及び内壁の孔と貫通スリーブとの隙間は外部からパテ等を塗り込むことで簡単に塞ぐことができる。
本件に関連する技術を紹介する文献として特許文献文献１及び２を参照されたい。
【先行技術文献】
【特許文献】
【０００４】
【特許文献１】特許第５５８２８７３号公報
【特許文献２】特開２０１７−１４５５８１号公報
【発明の概要】
【発明が解決しようとする課題】
【０００５】
しかしながら、壁体内の要素に開けられた孔と貫通スリーブとの隙間を充填することは困難であった。貫通スリーブを通すためにそもそも外壁や内壁に後付けされた孔は小さいので、この孔を介して内部に造作をすることは手間がかかるからである。
特に、通気層に面する透湿防水シートにあけられた孔に関しては、これと貫通スリーブとの間に隙間があると、防水機能をそもそも果たせなくなるおそれがある。
そこでこの発明は、通気層を備える壁へ後付けされる貫通スリーブと透湿防水シートの孔との隙間を簡易に塞ぐことのできるシール部材を提供することを１つの目的とする。
この発明の他の目的は、かかるシール部材を用いて、貫通スリーブと透湿防水シートとの間をシールするシール方法を提供することにある。
【課題を解決するための手段】
【０００６】
この発明の第１の局面に規定のシール部材は上記課題の少なくともひとつを解決すべくなされたものである。即ち、
通気層を備える壁へ後付けされる貫通スリーブと前記通気層に面する透湿防水シートとの間をシールするシール部材であって、
前記貫通スリーブに外挿されるスリーブ外挿部と、該スリーブ外挿部の外周からその外方へ立設され、可撓性のある材料で形成されたフランジ部とを備え、
前記フランジ部の半径方向に渡って形成されたスリットであって、該スリットは前記スリーブ外挿部に連通しており、該スリットの両縁を重ね合わせることで、前記フランジ部を縮径可能なスリットと、
を備えるシール部材。
【０００７】
このように規定される第１の局面に規定のシール部材によれば、フランジ部に形成されたスリットの両縁を重ね合わせるように力を加えると、フランジ部が縮径する。縮径したフランジ部は容易に外壁の孔へ挿入できる。このように挿入されたフランジ部はその材質が可撓性を有するため、縮径のための力を外すと壁内（通気層内）でもとの形に戻る。この状態でフランジ部は透湿防水シートの孔の周囲に当接させられる。
ここに、フランジ部において透湿防水シートに当接する面が接着性を備えれば、当該フランジ部を透湿防水シートの孔の周囲に接着することで、両者に間の防水性を確保できる。
フランジ部はスリーブ外挿部の外周からその外方へ立設されているので、フランジ部とスリーブ外挿部との間のシール性はそもそも確保されるものとすれば、スリーブ外挿部と貫通スリーブとの間のシール性を確保すれば、通気層側の水分が透湿防水シートに形成された孔を介してその内側へ透過することは無くなる。
この発明では、フランジ部を通気層の周囲に接着させた後、スリーブ外挿部のスリットを例えば防水テープその他で閉塞するという簡易な方法で、スリーブ外挿部と貫通スリーブとの間のシール性が確保できる。
【０００８】
この発明の第２の局面は次のように規定される。即ち、第１の局面のシール部材において、該フランジ部には前記透湿防水シートに対向する面に接着層が形成され、該接着層は除去可能な保護フィルムで被覆されている。
このように規定される第２の局面に規定のシール部材によれば、フランジ部において透湿防水シートに対向する面に接着層が形成されているため、当該面を透湿防水シートの孔の周縁に当接させれば、その部分のシール性を確保できる。また、接着層は保護フィルムで被覆されているので、外壁の孔へフランジ部を通すときの作業性になんら悪影響を生じさせない。
【０００９】
この発明の第３の局面は次のように規定される。即ち、第２の局面に規定のシール部材において、前記保護フィルムの表面に取り付けられる固定部と、該固定部に連結して前記スリーブ外挿部に沿って配設されるピックアップ部とを備える保護フィルム除去具が更に備えられ、
前記ピックアップ部を前記スリーブ外挿部に沿って引き抜くことで前記固定部が移動し、該固定部の移動に伴い前記保護フィルムが前記接着層から剥離される。
このように規定される第３の局面のシール部材によれば、保護フィルム除去具があるため、壁体内の通気層においてフランジ部材の縮径を解放した後、スリーブ外挿部に沿ってピックアップ部を引き抜くことで、接着層から保護フィルムを容易に除去できる。よって、作業性が向上する。
【００１０】
この発明の第４の局面は次のように規定される。即ち、第１〜３の何れかに規定のシール部材において、前記フランジ部は前記スリーブ外挿部の一端に形成され、前記スリットは前記スリーブ外挿部の軸方向に渡って他端まで形成される。
このように規定される第４の局面のシール部材によれば、スリーブ外挿部の軸方向に渡ってスリットが形成されるため、スリーブ外挿部の他端側を、これに形成されたスリットの両縁が重なるように縮径すれば、フランジ部も併せて縮径されることとなって、その作業性が向上する。
【００１１】
この発明の第５の局面は次のように規定される。即ち、第４の局面に規定のシール部材において、前記スリットは前記スリーブ外挿部の軸と平行に形成され、前記フランジ部において前記スリーブ外挿部の軸から半径方向に形成されている。
このように規定される第５の局面のシール部材によれば一条のスリットが軸方向に形成されることとなるので、スリットの作製が容易になり、ひいてはシール部材の製造コストが削減される。
【００１２】
この発明の第６の局面のシール部材は次のように規定される。即ち、第２の局面に規定のシール部材において、第２の接着層が前記フランジ部の他面に形成され、該第２の接着層は除去可能な第２の保護フィルムで被覆されている。
このように規定される第６の局面のシール部材によれば、そのフランジ部の両面に接着剤層が形成される。かかるフランジ部は、壁の中において、断熱材等の構造材層と透湿防水シートとの間に挿入されて、両者に接着する。フランジ部と透湿防水シートとの接続面は、透湿防水シートからみて、構造材層側になり、その通気層側には接続面がなくなる。よって、通気層側の面を滴下してくる水が入り込むことをより確実に防止できる。フランジ部と構造体層とを接着することによりその間もシールされるので全体としての気密性が向上する。また、壁の構造物に対してフランジ部を二重に接着することにより、シール部材がより安定する。
【００１３】
この発明の第７の局面は次のように規定される。即ち、通気層を備える壁へ後付けされる貫通スリーブと前記通気層に面する透湿防水シートとの間をシールするシール方法であって、
外壁に貫通された貫通スリーブの挿通孔に対して第１〜６の局面の何れかに記載のシール部材の前記フランジ部を挿入するステップであって、前記スリットの両縁を重なる方向に移動させて、前記フランジ部を縮径し、これを前記挿通孔へ挿入するステップと、
前記通気層内において前記フランジ部の縮径を解いて、前記透湿防水シートに接触させるステップと、
を含むシール方法。
【００１４】
このように規定される第７の局面に規定のシール方法によれば、後付けの貫通スリーブ用挿通孔を介して、フランジ部を容易に壁内の通気層へ挿入し、そして、縮径を解かれたフランジ部を該通気層に面する透湿防水シートへ当て付けることができる。
そして、第８の局面に規定するように、フランジ部を透湿防水シートへ接着することで、壁内通気層の水分が透湿防水シートに後付けされた孔を通じてその内側へ漏れ入ることを確実に防止できる。
【図面の簡単な説明】
【００１５】
【図１】図１はこの発明の１つの実施の形態のシール部材の施工状態を示す断面図である。
【図２】図２は同シール部材を示す正面側斜視図の代用写真である。
【図３】図３は同シール部材を示す裏面側斜視図の代用写真である。
【図４】図４は同シール部材の正面図、両側面図及び断面図を示す。
【図５】図５は施行例を示す図面の代用写真である。
【図６】図６は施工の完成図の代用写真である。
【図７】図７は他の態様のシール部材の正面図、両側面図及び断面図である。
【図８】図８はこの発明の他の実施の形態のシール部材の施工状態を示す断面図である。
【図９】図９は同シール部材を示す正面側斜視図の代用写真である。
【図１０】図１０は同シール部材を示す裏面側斜視図の代用写真である。
【図１１】図１１は同シール部材の正面図、両側面図及び断面図を示す。
【図１２】図１２は施工の完成図の代用写真である。
【図１３】図１３は他の態様のシール部材の正面図、両側面図及び断面図である。
【発明を実施するための形態】
【００１６】
以下、図例を参考にしながらこの発明の実施の形態を説明する。
最初に、実施の形態のシール部材１の施工状態を図１に基づいて説明する。
図１は通気工法の施された壁構造を示し、通気層９が外壁４に沿って形成される。符号６は構造体層を示し、この例では断熱材層６Ａと構造用合板６Ｂとで構造体層６が構成される。構造用合板６Ｂの表面には透湿防水シート７が貼着されている。
【００１７】
かかる壁構造の各要素には孔２が穿設されて、貫通スリーブ３を貫通させる。
実施形態のシール部材１はスリーブ外挿部１１とフランジ部１３とを備え、そのスリーブ外挿部１１は貫通スリーブ３へ外挿され、フランジ部１３は透湿防水シート７の孔２の周縁へ水密に接着される（シーリングされている）。
【００１８】
符号５はシーラントであり、外壁４の孔２、シール部材１のスリーブ外挿部１１及び貫通スリーブ３の間の隙間を埋めてシーリングする。
図１において、意図的にシーリング（即ち水が漏れ入れないような処理）してある要素は接触して描いてある。
図１から、透湿防水シート７に後付けで孔２があけられたとしても、その孔２と通気層９とがシール部材１によりシールされていることがわかる。即ち、シール部材１のフランジ部１３が透湿防水シート７に接着されているので、通気層９に侵入した水が透湿防水シート７の孔２を通過することがない。
【００１９】
次に、シール部材１について詳述する。
実施の形態のシール部材１は、図２〜図４に示すように、本体部１０、保護フィルム２０及び保護フィルム除去具３０を備えてなる。
本体部１０は筒状のスリーブ外挿部１１と該スリーブ外挿部１１の一端の縁から半径方向外方へ立ち上がったフランジ部１３とを備える。スリーブ外挿部１１及びフランジ部１３には、これらを軸方向に分割する一条のスリット１４が形成されている。
【００２０】
上記において、本体部１０を構成する筒状のスリーブ外挿部１１の一端に折り曲げ部１２が形成される。この折り曲げ部１２は型成形によりスリーブ外挿部１１から延設することができる。この例では、筒状部材の一端に多数の切れ込みを入れて、外方へ折り曲げて当該折り曲げ部１２を構成した。フランジ部１３は円環状の部材であって、その裏面の全面に接着層１８を設けこの接着層１８を介して折り曲げ部１２へ液密に固着されている。接着層１８の残部には保護フィルム２０が被覆されている。
この例では、スリーブ外挿部１１とフランジ部１３とを別体としているが、これらを一体に型成形可能である。フランジ部１３はスリーブ外挿部１１の外周から半径方向外方へ何ら隙間なく、即ち水分を透過させることなく立ち上がっていれば、一体であっても別体であってもよい。
図２の例では、スリーブ外挿部１１の一端からフランジ部１３が立ち上がっているが、その外周のいずれの位置からフランジ部１３を立ち上げてもよい。
【００２１】
フランジ部１３はスリーブ外挿部１１の外周外方に形成された環状の部材であって、透湿防水シート７に形成された孔２の周囲へ当接する。
フランジ部１３の形状は、当該孔２を３６０度囲繞できれば特に限定されないが、縮径時の作業性を考えれば円環状とすること、即ち内周部と外周部の幅が全周において一定であることが好ましい。
スリーブ外挿部１１の端以外の部分にフランジ部を設けるときは、フランジを逃がすため、外挿部１１に周方向の切れ込みを設けることが好ましい。
【００２２】
かかるフランジ部１３は、一旦縮径された後、縮径のための力を外すと、元の形に戻るように可撓性の材料で形成されることが好ましい。勿論、壁に用いられることから、防水性及び耐候性を備える必要があることは言うまでもない。
かかる材料として、銅、アルミ、ステンレス等の金属材料、ポリエチレンテレフタレート、ポリエチレン、ポリプロピレン、ポリカーボネート等の等の樹脂材料、ＥＰＤＭ、シリコーンゴム、ウレタンゴム、ブチルゴム等のエラストマー材料を挙げることができる。
フランジ部１３の厚さは、縮径されて折りたたまれたときに破損しない剛性を備えた上で、人の力で容易に変形させられるように、可及的に薄くすることが好ましい。この例では０．１〜０．４ｍｍの厚さとした。
このフランジ部はスリーブ外挿部１１の外周面から半径方向外方へ、即ち軸に対して直角に形成することができる。スリーブ外挿部１１に対してこのフランジ部を傾斜して設けることもできる。雨じまいのため壁に対して貫通スリーブを傾斜させるとき、貫通スリーブの軸に対して傾斜した仮想平面上にフランジ部を設けて、当該フランジ部を壁に対して平行にすることが好ましい。
【００２３】
スリーブ外挿部１１の成形材料は防水性や耐候性を備えることはもとより、フランジ部１３と同様に可撓性を備えることが好ましい。
スリーブ外挿部１１の厚さはフランジ部１３と同じとすることできる。
スリーブ外挿部１１の径は、貫通スリーブ３より少し大径として、貫通スリーブ３の挿入を容易にする。また、外壁４の孔２の径より少し小径とする。シーリング材を壁の内側まで行き渡らせるためのスペースを確保するためである。
スリーブ外挿部１１の長さは、フランジ部１３からその先端部までの距離が、壁における透湿防水シート７から外壁４の外面までの距離より長いものとする。フランジ部１３を透湿防水シート７へ当て付けた状態で、スリーブ外挿部１１を操作可能とするためである。なお、シール部材１を装着後は、図１に示すように、スリーブ外挿部１１の先端側は壁４の外面と沿うように切断され、シーリング材５でシールされる。
【００２４】
フランジ部１３には半径方向渡った、即ち、内周から外周に至るに第１スリット１５が形成される。そしてこの第１スリット１５に連通してスリーブ外挿部１１に第２のスリット１６が形成される。第２のスリット１６はスリーブ外挿部１１において軸方向に渡って、即ちフランジ部１３が連結されたその一端から他端まで連続して形成される。なお、この第２のスリット１６はスリーブ外挿部１１においてその他端まで切れ込ませなくてもよい。フランジ部１３の縮径を阻害しない範囲でスリーブ外挿部１１の一端側が縮径すれば良いからである。
【００２５】
なお、第１のスリット１５及び第２のスリット１６は、図２に示すように、軸方向に沿った一条のスリット１４とすることが好ましい。作製が容易だからである。
フランジ部１３の第１のスリット１５を傾斜して設けてもよい。即ちフランジ部１３の内周縁（又は外周縁）の法線に対して第１のスリット１５を傾斜させる。また、スリーブ外挿部１１の第２のスリット１６も傾斜して設けられることができる。このように第１及び第２のスリットを傾斜して設ける場合も、第１及び第２のスリットは一条とすることが好ましい。
更には、スリットを２以上設けて、即ち、本体部（スリーブ外挿部１１とフランジ部１３）を分割してもよい。この場合、位置合わせのため、保護フィルム２０に分割した本体部を繋ぎ合わせる役目を持たせることが好ましい。
【００２６】
フランジ部１３の裏面には接着層１８が設けられる。この接着層１８はフランジ部１３の全面に形成することが好ましいが、シール性確保の見地から少なくも周方向に連続しているものとする（スリット１５は除く）。その幅は３０〜５０ｍｍとする。
この接着層１８は透湿防水シート７に接着してそこに防水機能を発揮する材料からなれば特に限定されないが、ブチルゴム、ポリイソブチレンゴム、ゴムアスファルトなどのゴム系材料、アクリル系、ポリウレタン系、シリコン系、ポリエステル系等の樹脂系材料を用いることができる。
フランジ部１３の形成材料自体を透湿防止シート７に対して熱や高周波で融着可能であるか、前もって透湿防水シート７側に接着剤の塗布またはシール材の充填が可能であれば、この接着層を省略することもできる。
【００２７】
接着層１８の表面には保護フィルム２０が積層されて、接着層１８が対象物（透湿防水シート７）以外に接着することを防止している。保護フィルム２０には周知の離型材が塗布されており、人の力で接着層１８から容易に剥離可能とする。
【００２８】
保護フィルム２０には保護フィルム除去具３０が取り付けられている。保護フィルム除去具３０は固定部３１とピックアップ部３３とを備える。
固定部３１は保護フィルム２０の表面へ固定される。固定部３１の取付け位置はスリット１５の周縁部が好ましい。保護フィルム２０の剥離はその端部から行うことが容易だからである。ピックアップ部３３はスリープ外挿部１１のスリット１６に沿って配置され、その基端部は固定部３１に連結される。これにより、ピックアップ部３３を引っ張ると固定部３１がスリーブ外挿部１１側へ移動し、もって保護フィルム２０は順次引きはがされていく。
この例では、保護フィルム除去部３０を柔軟性のある一連のテープで構成した。当該テープの一端が固定部３１として保護フィルム２０へスリット１６に沿って貼付けられる。このテープは保護フィルム２０の外縁で折り返されてスリーブ外挿部１１の内周面に沿って引き伸ばされて、ピックアップ部３０となる。
ピックアップ部３３を剛性の高いロッドその他棒材で代替可能である。
【００２９】
図５に施行例を示す。
このシール部材１においてスリット１４の両縁を重ね合わせてスリープ外挿部１１を握りしめて縮径させると、図５Ａに示すように、フランジ部１３も縮径してコーン状になる。この状態で外壁４の孔２へ挿入する（図５Ｂ）。ここに、フランジ部１３は縮径されており、かつそれ自体が可撓性を有するので、フランジ部１３は容易に孔２を通過する。
その後、縮径を解くと、フランジ部１３は壁構造内、即ち通気層９内で平坦に戻される（図５Ｃ）。次に、保護フィルム除去具３０のピックアップ部１１をスリーブ外挿部１１に沿って引っ張って、保護フィルム２０を接着層１８から剥離する（図５Ｄ）。その後、治具を用いてフランジ部１３を透湿防水シート７の孔２の周囲に押し付け、両者を液密に接着する（図５Ｅ，Ｆ）。
【００３０】
次に、スリーブ外挿部１１に形成されている第２のスリット１６を防水テープでシールする（図５Ｇ）。外壁４から突出したスリーブ外挿部１１を除去し（図５Ｈ，Ｉ）、その後、第２の貫通スリーブ３ｂを挿入する（図５Ｊ）。
最後に外壁４の孔２の周壁、スリーブ外挿部１１及び貫通スリーブ３ｂの間の隙間をシーリング材で充填してシールする（図５Ｋ，Ｌ）。
図６は、外壁４を外したときの、透湿防水シート７へのシール部材１の取付け態様を示している。
【００３１】
図７には、他の態様のシール部材１０１を示す。このシール部材１０１はスリーブ外挿部１１１とフランジ部１１３とが一体成形されており、フランジ部１１３の全面に接着層１１８が形成されて、これが保護フィルム１２０で保護されている。
保護フィルム除去具１３０として一連のテープが図４の例と同様に用いられている。この例では、スリーブ外挿部１１１の先端近傍にスリット１３４が周方向に形成され、このスリット１３２へピックアップ部１３３が挿通されている。これにより、ピップアップ部１３３は常にスリーブ外挿部１１１へ沿った状態となり、作業の邪魔となることがない。
【００３２】
図８に、他の形態のシール部材２０１の施工状態を図８に基づいて説明する。なお、図８において図１と同一の要素には同一の参照番号を付してその説明を部分的に省略する。
図８において、シール部材２０１のフランジ部２１３はその両面に接着層が形成され、それぞれ構造体層６と透湿防水シート７の孔の周縁に接着される。なお、図８の例では、透湿防水シート７の裏面（通気層９からみて）においてこれとフランジ部２１３とが接着されている。このため、フランジ部２１３と透湿防水シート７とのつなぎ目が通気層９に表出していない。よって、透湿防水シート７において通気層９側表面を伝って滴下してきた水をより確実にブロックできる。
【００３３】
次に、シール部材２０１の構成を図９〜図１１に示す。なお、図９〜図１１において、図２〜４で説明した要素には同一の符号を付してその説明を部分的に省略する。
このシール部材２０１では、フランジ部２１３の両面に接着層１８、２１８が形成されている。フランジ部２１３においてスリーブ外挿部１１側の面には接着層２１８が形成され、この接着層２１８は保護フィルム２２０で保護される。
この保護フィルム２２０には保護フィルム除去具２３０が連結される。この保護フィルム除去具２３０は一連のテープからなり、その一端が固定部２３１として保護フィルム２２０の内周縁から、スリット１６に沿って固着される。このテープは保護フィルム２２０の外周縁で折り返されてスリーブ外挿部１１の外周面にそって配設されて、ピックアップ部２３３を構成する。
【００３４】
かかる構成のシール部材２０１の施工方法は図５に示したものと同じであるが、保護フィルム２０、２２０を除去したフランジ部２１３を壁構造において構造体層６と透湿防水シート７との間に挿入する。
図１２は、完成後の状態を示し、図１２は外壁４を取り去った状態を示す。フランジ部１３は透湿防水シート７へ裏側から当て付けられ、そこに接着されている。
【００３５】
図１３には、他の態様のシール部材４０１を示す。図１３において図７及び図１１と同一の部材には同一の符号を付してその説明を部分的に省略する。この例では、フランジ部１１３の上面（スリーブ外挿部側）の全面に接着層３１８が形成されてこれが保護シート３２０で保護されている。他方、フランジ部１１３の裏面の全面に接着層４１８が形成されてこれが保護シート４２０で保護される。そのための保護フィルム除去具３３０として一連のテープが図１１の例と同様に用いられている。この例では、そのピックアップ部３３１がスリット１３４に通されている。
【００３６】
以上の例では、通気層が外壁側に形成されものを例に採り取り説明したが、これが内壁側に形成されたときは、同じく内壁に形成された孔を用いて実行する。
【００３７】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３８】
１、１０１、２０１、４０１  シール部材
２  孔
３  貫通スリーブ
４  外壁
５  シーリング材
６  構造体層
７  透湿防水シート
９  通気層
１０  本体部
１１、１１１  スリーブ外挿部
１３、１１３、２１３  不安自部
１４、１５、１６  スリット
１８、１１８、２１８、３１８、４１８  接着層
２０、１２０、２２０、３２０、４２０  保護フィルム
３０、１３０、２３０  保護フィルム除去具
【図１】
2020007724.tif 000003
【図２】
2020007724.tif 000004
【図３】
2020007724.tif 000005
【図４】
2020007724.tif 000006
【図５】
2020007724.tif 000007
【図６】
2020007724.tif 000008
【図７】
2020007724.tif 000009
【図８】
2020007724.tif 000010
【図９】
2020007724.tif 000011
【図１０】
2020007724.tif 000012
【図１１】
2020007724.tif 000013
【図１２】
2020007724.tif 000014
【図１３】
2020007724.tif 000015